(57)【要約】【課題】  ステープル位置やパンチ位置が分かり易い画像記録装置を提供する。【解決手段】  ステープルモードのＯＮ・ＯＦＦ及びステープル位置を選択する手段と、設定ステープル位置から選択されたステープル位置に変更する手段と、原稿のサイズが設定サイズ以下であるか否かを問うメッセージを表示する手段と、設定ステープル位置から選択されたステープル位置に変更する手段と、選択されたステープル位置に変更できない旨のメッセージを表示する手段と、原稿の画像を読み取る手段と、読み取られた画像データを記憶する手段と、画像データを用紙にプリントし、プリントされた用紙をステープルする手段と、画像データを回転させる手段と、回転させた画像データを用紙にプリントする手段と、回転させた画像データを縮小し、縮小された画像データを用紙にプリントし、プリントされた用紙をステープルする手段と、を備えた。【選択図】      図２ 
2005099566.tif 000002
【特許請求の範囲】
【請求項１】
ステープルモードのＯＮ・ＯＦＦ及びステープル位置を選択する手段と、
前記ステープルモードのＯＦＦが選択されているときは、記憶手段に記憶された設定ステープル位置から前記選択されたステープル位置に変更する手段と、
前記ステープルモードのＯＮが選択されているときは、コピーされる原稿のサイズが記憶手段に記憶された設定サイズ以下であるか否かを問うメッセージを表示する手段と、
前記原稿のサイズが前記設定サイズを超えている旨の回答が選択されたときは、前記設定ステープル位置から前記選択されたステープル位置に変更する手段と、
前記原稿のサイズが前記設定サイズ以下である旨の回答が選択されたときは、前記設定ステープル位置から前記選択されたステープル位置に変更できない旨のメッセージを表示する手段と、
前記原稿の画像を読み取る手段と、
読み取られた画像データを記憶する手段と、
前記設定ステープル位置が前記選択されたステープル位置に変更されておらずかつ前記ステープルモードのＯＮが選択されているときは、前記画像データを用紙にプリントし、プリントされた用紙をステープルする手段と、
前記設定ステープル位置が前記選択されたステープル位置に変更されているときは、前記画像データを前記選択されたステープル位置が前記設定ステープル位置となるように回転させる手段と、
前記ステープルモードのＯＦＦが選択されているときは、前記回転させた画像データを用紙にプリントする手段と、
前記ステープルモードのＯＮが選択されているときは、前記回転させた画像データを縮小し、縮小された画像データを用紙にプリントし、プリントされた用紙をステープルする手段と、
を備えたことを特徴とする画像記録装置。
【請求項２】
パンチモードのＯＮ・ＯＦＦ及びパンチ位置を選択する手段と、
前記パンチモードのＯＦＦが選択されているときは、記憶手段に記憶された設定パンチ位置から前記選択されたパンチ位置に変更する手段と、
前記パンチモードのＯＮが選択されているときは、コピーされる原稿のサイズが記憶手段に記憶された設定サイズ以下であるか否かを問うメッセージを表示する手段と、
前記原稿のサイズが前記設定サイズを超えている旨の回答が選択されたときは、前記設定パンチ位置から前記選択されたパンチ位置に変更する手段と、
前記原稿のサイズが前記設定サイズ以下である旨の回答が選択されたときは、前記設定パンチ位置から前記選択されたパンチ位置に変更できない旨のメッセージを表示する手段と、
前記原稿の画像を読み取る手段と、
読み取られた画像データを記憶する手段と、
前記設定パンチ位置が前記選択されたパンチ位置に変更されておらずかつ前記パンチモードのＯＮが選択されているときは、前記画像データを用紙にプリントし、プリントされた用紙をパンチする手段と、
前記設定パンチ位置が前記選択されたパンチ位置に変更されているときは、前記画像データを前記選択されたパンチ位置が前記設定パンチ位置となるように回転させる手段と、
前記パンチモードのＯＦＦが選択されているときは、前記回転させた画像データを用紙にプリントする手段と、
前記パンチモードのＯＮが選択されているときは、前記回転させた画像データを縮小し、縮小された画像データを用紙にプリントし、プリントされた用紙をパンチする手段と、
を備えたことを特徴とする画像記録装置。
【発明の詳細な説明】
【技術分野】
【０００１】
本発明は、プリントした用紙をステープル可能又はパンチ可能な画像記録装置に関するものである。
【背景技術】
【０００２】
従来のこの種の技術としては、原稿の画像デ−タを読取る読取り手段と、この読取り手段で読取られた画像デ−タを記憶する画像メモリと、この画像メモリに記憶されている画像デ−タを回転させる画像回転手段と、画像を形成する画像形成手段と、原稿を綴じるステープル位置を指定する位置指定手段と、複数の原稿を綴じる綴じ手段と、前記画像メモリに記憶されている画像デ−タを読取り画像の方向を認識する画像認識手段と、前記位置指定手段で指定されたステープル位置で原稿の綴じができるように、前記画像回転手段で前記画像デ−タを回転させた後、前記画像形成手段で画像を形成させる処理手段とを具備した画像形成装置等が知られている（例えば、特許文献１参照）。
【特許文献１】特開平９−１２２１０号公報（第１−１３頁，図１３等）
【発明の開示】
【発明が解決しようとする課題】
【０００３】
上記のような画像形成装置においては、コピーする原稿の状態が不適性であっても、原稿の位置を適性なものに変更し、しかもステープル位置を任意の側部に選択できるが、それにより却ってステープル位置が分かりにくくなるため、ユーザーに混乱が生じるという問題点がある。
【０００４】
本発明は、以上のような問題点に鑑みてなされたものであり、ステープル位置やパンチ位置が分かり易い画像記録装置を提供することを目的とする。
【課題を解決するための手段】
【０００５】
上記目的を達成するための請求項１の発明は、ステープルモードのＯＮ・ＯＦＦ及びステープル位置を選択する手段と、前記ステープルモードのＯＦＦが選択されているときは、記憶手段に記憶された設定ステープル位置から前記選択されたステープル位置に変更する手段と、前記ステープルモードのＯＮが選択されているときは、コピーされる原稿のサイズが記憶手段に記憶された設定サイズ以下であるか否かを問うメッセージを表示する手段と、前記原稿のサイズが前記設定サイズを超えている旨の回答が選択されたときは、前記設定ステープル位置から前記選択されたステープル位置に変更する手段と、前記原稿のサイズが前記設定サイズ以下である旨の回答が選択されたときは、前記設定ステープル位置から前記選択されたステープル位置に変更できない旨のメッセージを表示する手段と、前記原稿の画像を読み取る手段と、読み取られた画像データを記憶する手段と、前記設定ステープル位置が前記選択されたステープル位置に変更されておらずかつ前記ステープルモードのＯＮが選択されているときは、前記画像データを用紙にプリントし、プリントされた用紙をステープルする手段と、前記設定ステープル位置が前記選択されたステープル位置に変更されているときは、前記画像データを前記選択されたステープル位置が前記設定ステープル位置となるように回転させる手段と、前記ステープルモードのＯＦＦが選択されているときは、前記回転させた画像データを用紙にプリントする手段と、前記ステープルモードのＯＮが選択されているときは、前記回転させた画像データを縮小し、縮小された画像データを用紙にプリントし、プリントされた用紙をステープルする手段と、を備えたものである。
【０００６】
請求項２の発明は、パンチモードのＯＮ・ＯＦＦ及びパンチ位置を選択する手段と、前記パンチモードのＯＦＦが選択されているときは、記憶手段に記憶された設定パンチ位置から前記選択されたパンチ位置に変更する手段と、前記パンチモードのＯＮが選択されているときは、コピーされる原稿のサイズが記憶手段に記憶された設定サイズ以下であるか否かを問うメッセージを表示する手段と、前記原稿のサイズが前記設定サイズを超えている旨の回答が選択されたときは、前記設定パンチ位置から前記選択されたパンチ位置に変更する手段と、前記原稿のサイズが前記設定サイズ以下である旨の回答が選択されたときは、前記設定パンチ位置から前記選択されたパンチ位置に変更できない旨のメッセージを表示する手段と、前記原稿の画像を読み取る手段と、読み取られた画像データを記憶する手段と、前記設定パンチ位置が前記選択されたパンチ位置に変更されておらずかつ前記パンチモードのＯＮが選択されているときは、前記画像データを用紙にプリントし、プリントされた用紙をパンチする手段と、前記設定パンチ位置が前記選択されたパンチ位置に変更されているときは、前記画像データを前記選択されたパンチ位置が前記設定パンチ位置となるように回転させる手段と、前記パンチモードのＯＦＦが選択されているときは、前記回転させた画像データを用紙にプリントする手段と、前記パンチモードのＯＮが選択されているときは、前記回転させた画像データを縮小し、縮小された画像データを用紙にプリントし、プリントされた用紙をパンチする手段と、を備えたものである。
【発明の効果】
【０００７】
請求項１の発明によれば、原稿のサイズが設定サイズ以下であれば回転コピーが禁止されるので、この場合にはステープル位置が分かり易い。
【０００８】
請求項２の発明によれば、原稿のサイズが設定サイズ以下であれば回転コピーが禁止されるので、この場合にはパンチ位置が分かり易い。
【発明を実施するための最良の形態】
【０００９】
以下、本発明の実施形態を図面に基づいて説明する。
第１実施形態に係る画像記録装置１は、図１に示すように、ＣＰＵ（Central Processing Unit，中央処理装置）２、ＲＡＭ（Random Access Memory，随時書き込み読み出しメモリ）３、ＲＯＭ（Read Only Memory，読み出し専用メモリ）４、コーデック（ＣＯＤＥＣ）５、モデム６、ＮＣＵ（Network Control Unit，回線網制御装置）７、読取部８、プリント部９、表示部１０、操作部１１、ステープル部１２、パンチ部１３、及びＬＡＮ（Local Area Network）インターフェース（Ｉ／Ｆ）１４等を備えたものであり、各部２〜１４はバス１５を介して互いに通信可能に接続されている。
【００１０】
ＲＯＭ４は、ＣＰＵ２により各部３〜１４の動作を制御するための各種プログラム、後述する原稿の設定サイズ、設定ステープル位置、設定パンチ位置等が格納された記憶部として機能する。ＣＰＵ２は、ＲＯＭ４等に格納されたプログラムに従って各部３〜１４の動作を制御する制御部として機能する。ＲＡＭ３は、読取部８により読み取られた原稿の画像データや各種設定情報等を記憶する記憶部として機能する。
【００１１】
読取部８は、原稿の画像を読み取り、白黒２値化等した画像データを出力する。プリント部９は、電子写真方式等により、ＲＡＭ３に記憶された画像データ等を用紙にプリントする。ステープル部１２は、プリント部９によりプリントされた用紙を複数枚重ねた状態でステープルする。パンチ部１３は、プリント部９によりプリントされた用紙を複数枚重ねた状態でパンチする。搬送手段（図示せず）は、プリント部９によりプリントされた用紙、ステープル部１２によりステープルされた用紙、又は、パンチ部１３によりパンチされた用紙を搬送してトレイに排出する。
【００１２】
表示部１０は、操作部１１等に併設されたＬＣＤ（Liquid Crystal Display，液晶ディスプレイ）等で構成されており、各種の画面情報を表示する。操作部１１は、ステープルモードのＯＮ・ＯＦＦ、パンチモードのＯＮ・ＯＦＦ、ステープル位置、パンチ位置、コピーのスタート等の各種情報・操作の入力・選択をするための入力キーや選択キー等を備えている。画像記録装置１に対するオペレータによる各種操作は、この操作部１１を通じて行われる。なお、ステープルモードとは、プリントされた用紙を複数枚重ねた状態でステープルするモードをいう。パンチモードとは、プリントされた用紙を複数枚重ねた状態でパンチするモードをいう。
【００１３】
コーデック５は、画像データを送信のためにＭＨ（Modified Huffman）方式、ＭＲ（Modified READ）方式、ＭＭＲ（Modified Modified READ）方式等により符号化したり、受信した画像データを復号化したりする。また、コーデック５は、電子メールの添付ファイル形式として一般的に利用されている画像フォーマットであるＴＩＦＦ（Tagged Image File Format）形式にも対応して画像データを符号化及び復号化する。
【００１４】
モデム６は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ７は、ＰＳＴＮ（Public Switched Telephone Network，公衆電話交換網）１６に接続されており、電話回線を制御して電話をかけたり切ったりする。
【００１５】
ＬＡＮインターフェース１４は、ＬＡＮ１７と画像記録装置１とを通信可能に接続するインターフェースである。ＬＡＮ１７にはクライアントＰＣ（Personal Computer）（図示せず）が設置されており、画像記録装置１が有する各種機能をクライアントＰＣからＬＡＮ１７を通じて利用できるようになっている。また、ＬＡＮ１７にはメールサーバ（図示せず）や、インターネットに接続されたルータ（図示せず）等も設置されており、画像記録装置１はメールサーバやルータ等を通じてインターネット上の他の電子メール端末装置とインターネットファクシミリ通信を行うことができるようになっている。
【００１６】
上記のように構成された画像記録装置１は、コピー機の他、ネットワークプリンタ、ネットワークスキャナ、ファクシミリ通信機能・インターネットファクシミリ通信機能・Ｆコード通信機能等を有する通信機等としても機能する複合機である。ここで、Ｆコード通信とはＩＴＵ−Ｔの規格に従ったサブアドレスやパスワードを利用して行う通信であり、サブアドレス等と配信先とを対応付けて記憶したＦコードボックスに基づいて、受信した画像データの配信先が決定されるようになっている。なお、画像記録装置１は上記のような複合機に限定されるものではなく、少なくともコピー機として機能するものであればよい。
【００１７】
次に、ステープル位置の変更処理を図２に示すフローチャートに基づいて説明する。なお、この処理は、ＲＯＭ４からＲＡＭ３に読み出される制御プログラム等に基づいてＣＰＵ２が発行する命令に従って行われる。
【００１８】
この処理においては、まず、操作部１１によりステープル位置が選択される（ステップＳ１）。ここで、ＲＯＭ４に記憶された設定ステープル位置としては、１箇所のステープルであれば「左上」等、２箇所のステープルであれば「左」等が挙げられる。ステープル位置としては、１箇所のステープルであれば「左下」、「右下」、「右上」等、２箇所のステープルであれば「右」、「上」等が挙げられる。
【００１９】
次いで、操作部１１によりステープルモードのＯＦＦが選択されているときは（ステップＳ２でＮＯ）、ＲＯＭ４からＲＡＭ３に読み出された設定ステープル位置が選択されたステープル位置に変更され（ステップＳ３）、処理が終了する。
【００２０】
操作部１１によりステープルモードのＯＮが選択されているときは（ステップＳ２でＹＥＳ）、「原稿サイズはＡ４以下ですか？」等のコピーされる原稿のサイズがＲＯＭ４に記憶された設定サイズ以下であるか否かを問うメッセージが表示部１０に表示される（ステップＳ４）。前記メッセージは、ＲＯＭ４に記憶されている。なお、設定サイズは「Ａ４（２１０ｍｍ×２９７ｍｍ）」に限定されるものではなく、読取部８による読取範囲に応じて適宜変更可能である。
【００２１】
操作部１１により「ＮＯ」等の原稿のサイズが設定サイズを超えている旨の回答が選択されたときは（ステップＳ５でＮＯ）、ステップＳ３に進み、処理が終了する。
【００２２】
操作部１１により「ＹＥＳ」等の原稿のサイズが設定サイズ以下である旨の回答が選択されたときは（ステップＳ５でＹＥＳ）、「ステープル位置は原稿の左上で固定です」等の設定ステープル位置から選択されたステープル位置に変更できない旨のメッセージが表示部１０に表示され（ステップＳ６）、処理が終了する。前記メッセージも、ＲＯＭ４に記憶されている。
【００２３】
更に、コピー処理の手順例を図３及び図４に示すフローチャートに基づいて説明する。なお、この処理も、ＲＯＭ４からＲＡＭ３に読み出される制御プログラム等に基づいてＣＰＵ２が発行する命令に従って行われる。
【００２４】
この処理においては、図３に示すように、まず、操作部１１によりコピーのスタートが選択され（ステップＳ１１）、読取部８により原稿の読取が開始される（ステップＳ１２）。読取部８により１ページの読取の終了が検知されたときは（ステップＳ１３でＹＥＳ）、読み取られた画像データがＲＡＭ３に記憶される。１ページの読取の終了が検知されないときは（ステップＳ１３でＮＯ）、ステップＳ１３に戻る。
【００２５】
読取部８により原稿の読取の終了が検知されたとき又は操作部１１により原稿の読取の終了が選択されたときは（ステップＳ１４でＹＥＳ）、図４に示すステップＳ１５に進む。原稿の読取が終了していないときは（ステップＳ１４でＮＯ）、図３に示すステップＳ１２に戻る。
【００２６】
図４に示すように、設定ステープル位置が前記選択されたステープル位置に変更されておらず（ステップＳ１５でＮＯ）、かつ、操作部１１によりステープルモードのＯＮが選択されているときは、ＲＡＭ３に記憶された画像データの用紙へのプリントがプリント部９により開始される（ステップＳ１６）。このプリントが終了したときは（ステップＳ１７でＹＥＳ）、プリントされた用紙がステープル部１２によりステープルされ（ステップＳ１８）、搬送手段によりトレイに排出され（ステップＳ１９）、処理が終了する。
【００２７】
設定ステープル位置が前記選択されたステープル位置に変更されているときは（ステップＳ１５でＹＥＳ）、ＲＡＭ３に記憶された画像データは前記選択されたステープル位置が設定ステープル位置となるように回転する（ステップＳ２０）。なお、画像データを回転させる方向は、時計方向と反時計方向のいずれであってもよい。また、画像データを回転させる角度としては、９０°、１８０°、２７０°等が挙げられる。
【００２８】
次いで、操作部１１によりステープルモードのＯＦＦが選択されているときは（ステップＳ２１でＮＯ）、回転させた画像データの用紙へのプリントがプリント部９により開始され（ステップＳ２２）、ステップＳ１９に進む。ステープルモードのＯＮが選択されているときは（ステップＳ２１でＹＥＳ）、回転させた画像データが縮小され（ステップＳ２３）、ステップＳ１６に進む。
【００２９】
ここで、例えば、図５及び図６に示すように、プリント部９によりプリントされた例えば縦長のＡ４サイズ（縦２９７ｍｍ×横２１０ｍｍ）の用紙１８の左上部１８ａで１箇所のステープルを行う場合、用紙１８は裏面１８ｂを上に向けて積層した状態でステープル部１２によりステープルできると共に、ステープル材１９は用紙１８の長手方向に対して直角な搬送方向Ｃの後方側に取り付けることができる。
【００３０】
この場合において、操作部１１によりステープル位置としての「左下」が選択されており、かつ、ステープルモードのＯＦＦが選択されているときは、ＲＡＭ３に読み出された設定ステープル位置としての「左上」が選択されたステープル位置としての「左下」に変更される。次いで、図７に示すように、縦長のＡ４サイズの原稿２０の左上部２０ａが左下となりかつ原稿２０の長手方向が読取部８による読取方向Ｄに対して平行となるように原稿２０を横長にして読取部８にセットした状態で、操作部１１によりコピーのスタートが選択されたときは、読取部８により読み取られ、ＲＡＭ３に記憶された画像データ２０ｃは、選択されたステープル位置としての「左下」が設定ステープル位置としての「左上」となるように時計方向に９０°又は反時計方向に２７０°回転する。回転させた画像データ１８ｃはプリント部９により用紙１８にプリントされ、プリントされた用紙１８は搬送手段によりトレイに排出される。
【００３１】
一方、操作部１１によりステープルモードのＯＮが選択されているときは、「原稿サイズはＡ４以下ですか？」等の原稿２０のサイズが設定サイズとしての「Ａ４」以下であるか否かを問うメッセージが表示部１０に表示される。
【００３２】
操作部１１により「ＹＥＳ」等の原稿２０のサイズが「Ａ４」以下である旨の回答が選択されたときは、「ステープル位置は原稿の左上で固定です」等の設定ステープル位置から選択されたステープル位置に変更できない旨のメッセージが表示部１０に表示される。この場合、図８に示すように、原稿２０の回転コピーは禁止される。そのため、図９に示すように、縦長のＡ４サイズの原稿２０の左上部２０ａが左上となりかつ原稿２０の長手方向が読取部８による読取方向Ｄに対して直角となるように原稿２０を縦長にして読取部８にセットした状態で、操作部１１によりコピーのスタートが選択されたときは、読取部８により読み取られ、ＲＡＭ３に記憶された画像データ２０ｃがプリント部９により用紙１８にプリントされ、プリントされた用紙１８はステープル部１２によりステープルされ、ステープルされた用紙１８は搬送手段によりトレイに排出される。
【００３３】
操作部１１により「ＮＯ」等の原稿２０のサイズが「Ａ４」を超えている旨の回答が選択されたときは、設定ステープル位置が選択されたステープル位置に変更される。この場合、原稿２０の回転コピーは許可される。そのため、図１０に示すように、例えば縦長のＡ３サイズ（縦４２０ｍｍ×横２９７ｍｍ）の原稿２０の左上部２０ａが左下となりかつ原稿２０の長手方向が読取部８による読取方向Ｄに対して平行となるように原稿２０を横長にして読取部８にセットした状態で、操作部１１によりコピーのスタートが選択されたときは、読取部８により読み取られ、ＲＡＭ３に記憶された画像データ２０ｃは、選択されたステープル位置としての「左下」が設定ステープル位置としての「左上」となるように時計方向に９０°又は反時計方向に２７０°回転する。回転させた画像データは、操作部１１により選択された縮小率（例えば「７０％」）、又は、操作部１１により選択されたプリントされる用紙１８のサイズ（例えば「Ａ４」サイズ）及び読取部８により検知された原稿２０のサイズ（例えば「Ａ３」サイズ）に基づいて算出された縮小率（例えば「７０％」）に従って縮小される。縮小された画像データ１８ｄはプリント部９により用紙１８にプリントされ、プリントされた用紙１８はステープル部１２によりステープルされ、ステープルされた用紙１８は搬送手段によりトレイに排出される。
【００３４】
このように、画像記録装置１によれば、原稿２０のサイズが設定サイズ以下であれば回転コピーが禁止されるので、この場合にはステープル位置が分かり易いという利点がある。
【００３５】
第２実施形態に係る画像記録装置１は、図１１、図３、及び図１２に示すように、第１実施形態におけるステープル部１２によるステープルをパンチ部１３によるパンチとしたものである。この実施形態におけるパンチ位置の変更処理の手順例を図１１に示すフローチャートに基づいて説明する。なお、この処理は、ＲＯＭ４からＲＡＭ３に読み出される制御プログラム等に基づいてＣＰＵ２が発行する命令に従って行われる。
【００３６】
この処理においては、図１１に示すように、まず、操作部１１によりパンチ位置が選択される（ステップＳ３１）。ここで、ＲＯＭ４に記憶された設定パンチ位置としては、「左」等が挙げられる。パンチ位置としては、「右」、「上」等が挙げられる。
【００３７】
次いで、操作部１１によりパンチモードのＯＦＦが選択されているときは（ステップＳ３２でＮＯ）、ＲＯＭ４からＲＡＭ３に読み出された設定パンチ位置が選択されたパンチ位置に変更され（ステップＳ３３）、処理が終了する。
【００３８】
操作部１１によりパンチモードのＯＮが選択されているときは（ステップＳ３２でＹＥＳ）、「原稿サイズはＡ４以下ですか？」等のコピーされる原稿のサイズがＲＯＭ４に記憶された設定サイズ以下であるか否かを問うメッセージが表示部１０に表示される（ステップＳ３４）。前記メッセージは、ＲＯＭ４に記憶されている。
【００３９】
操作部１１により「ＮＯ」等の原稿のサイズが設定サイズを超えている旨の回答が選択されたときは（ステップＳ３５でＮＯ）、ステップＳ３３に進み、処理が終了する。
【００４０】
操作部１１により「ＹＥＳ」等の原稿のサイズが設定サイズ以下である旨の回答が選択されたときは（ステップＳ３５でＹＥＳ）、「パンチ位置は原稿の左で固定です」等の設定パンチ位置から選択されたパンチ位置に変更できない旨のメッセージが表示部１０に表示され（ステップＳ３６）、処理が終了する。前記メッセージも、ＲＯＭ４に記憶されている。
【００４１】
更に、コピー処理の手順例を図３及び図１２に示すフローチャートに基づいて説明する。なお、この処理も、ＲＯＭ４からＲＡＭ３に読み出される制御プログラム等に基づいてＣＰＵ２が発行する命令に従って行われる。
【００４２】
この処理においては、図３に示す第１実施形態と同様のステップＳ１１〜Ｓ１４が実行される。次いで、図１２に示すように、設定パンチ位置が前記選択されたパンチ位置に変更されておらず（ステップＳ４５でＮＯ）、かつ、操作部１１によりパンチモードのＯＮが選択されているときは、ＲＡＭ３に記憶された画像データの用紙へのプリントがプリント部９により開始される（ステップＳ４６）。このプリントが終了したときは（ステップＳ４７でＹＥＳ）、プリントされた用紙がパンチ部１３によりパンチされ（ステップＳ４８）、搬送手段によりトレイに排出され（ステップＳ４９）、処理が終了する。
【００４３】
設定パンチ位置が前記選択されたパンチ位置に変更されているときは（ステップＳ４５でＹＥＳ）、ＲＡＭ３に記憶された画像データは前記選択されたパンチ位置が設定パンチ位置となるように回転する（ステップＳ５０）。次いで、操作部１１によりパンチモードのＯＦＦが選択されているときは（ステップＳ５１でＮＯ）、回転させた画像データの用紙へのプリントがプリント部９により開始され（ステップＳ５２）、ステップＳ４９に進む。パンチモードのＯＮが選択されているときは（ステップＳ５１でＹＥＳ）、回転させた画像データが縮小され（ステップＳ５３）、ステップＳ４６に進む。
【００４４】
ここで、例えば、図１３及び図１４に示すように、プリント部９によりプリントされた例えば縦長のＡ４サイズの用紙１８の左部１８ｅで２箇所のパンチを行う場合、用紙１８は裏面１８ｂを上に向けて積層した状態でパンチ部１３によりパンチできると共に、パンチ穴２１は用紙１８の長手方向に対して直角な搬送方向Ｃの後方側に形成することができる。
【００４５】
この場合において、操作部１１によりパンチ位置としての「下」が選択されており、かつ、パンチモードのＯＦＦが選択されているときは、ＲＡＭ３に読み出された設定パンチ位置としての「左」が選択された「下」に変更される。次いで、図７に示すように、縦長のＡ４サイズの原稿２０の左部２０ｅが下となりかつ原稿２０の長手方向が読取部８による読取方向Ｄに対して平行となるように原稿２０を横長にして読取部８にセットした状態で、操作部１１によりコピーのスタートが選択されたときは、読取部８により読み取られ、ＲＡＭ３に記憶された画像データ２０ｃは、選択されたパンチ位置としての「下」が設定パンチ位置としての「左」となるように時計方向に９０°又は反時計方向に２７０°回転する。回転させた画像データ１８ｃはプリント部９により用紙１８にプリントされ、プリントされた用紙１８は搬送手段によりトレイに排出される。
【００４６】
一方、操作部１１によりパンチモードのＯＮが選択されているときは、「原稿サイズはＡ４以下ですか？」等の原稿２０のサイズが設定サイズとしての「Ａ４」以下であるか否かを問うメッセージが表示部１０に表示される。
【００４７】
操作部１１により「ＹＥＳ」等の原稿２０のサイズが「Ａ４」以下である旨の回答が選択されたときは、「パンチ位置は原稿の左で固定です」等の設定パンチ位置から選択されたパンチ位置に変更できない旨のメッセージが表示部１０に表示される。この場合、図８に示すように、原稿２０の回転コピーは禁止される。そのため、図９に示すように、縦長のＡ４サイズの原稿２０の左部２０ｅが左となりかつ原稿２０の長手方向が読取部８による読取方向Ｄに対して直角となるように原稿２０を縦長にして読取部８にセットした状態で、操作部１１によりコピーのスタートが選択されたときは、読取部８により読み取られ、ＲＡＭ３に記憶された画像データ２０ｃがプリント部９により用紙１８にプリントされ、プリントされた用紙１８はパンチ部１３によりパンチされ、パンチされた用紙１８は搬送手段によりトレイに排出される。
【００４８】
操作部１１により「ＮＯ」等の原稿２０のサイズが「Ａ４」を超えている旨の回答が選択されたときは、設定パンチ位置が選択されたパンチ位置に変更される。この場合、原稿２０の回転コピーは許可される。そのため、図１０に示すように、例えば縦長のＡ３サイズの原稿２０の左部２０ｅが下となりかつ原稿２０の長手方向が読取部８による読取方向Ｄに対して平行となるように原稿２０を横長にして読取部８にセットした状態で、操作部１１によりコピーのスタートが選択されたときは、読取部８により読み取られ、ＲＡＭ３に記憶された画像データは、選択されたパンチ位置としての「下」が設定パンチ位置としての「左」となるように時計方向に９０°又は反時計方向に２７０°回転する。回転させた画像データは、操作部１１により選択された縮小率（例えば「７０％」）、又は、操作部１１により選択されたプリントされる用紙１８のサイズ（例えば「Ａ４」サイズ）及び読取部８により検知された原稿２０のサイズ（例えば「Ａ３」サイズ）に基づいて算出された縮小率（例えば「７０％」）に従って縮小される。縮小された画像データ１８ｄはプリント部９により用紙１８にプリントされ、プリントされた用紙１８はパンチ部１３によりパンチされ、パンチされた用紙１８は搬送手段によりトレイに排出される。
【００４９】
このように、画像記録装置１によれば、原稿２０のサイズが設定サイズ以下であれば回転コピーが禁止されるので、この場合にはパンチ位置が分かり易いという利点がある。
【００５０】
以上の第１及び第２実施形態においては、ステープル部１２によるステープルとパンチ部１３によるパンチとを各実施形態で別々に行うように構成しているが、これに限定されるものではなく、ステープル部１２によるステープルとパンチ部１３によるパンチの両方を同時又はいずれかを先に行うように構成することもできる。
【産業上の利用可能性】
【００５１】
以上のように、本発明に係る画像記録装置は、プリントされた用紙をステープル又はパンチする場合に有用であり、特に、回転コピーを禁止してステープル位置又はパンチ位置を分かり易くするのに適している。
【図面の簡単な説明】
【００５２】
【図１】第１実施形態に係る画像記録装置の構成例を示すブロック図。
【図２】ステープル位置の変更処理の手順例を示すフローチャート。
【図３】コピー処理の手順例を示すフローチャート。
【図４】コピー処理の手順例を示すフローチャート。
【図５】ステープルされた用紙の平面図。
【図６】図５の用紙の搬送される様子を示す平面図。
【図７】原稿の回転コピーの例を示す説明図。
【図８】原稿の回転コピーが禁止される例を示す説明図。
【図９】原稿のコピーの例を示す説明図。
【図１０】原稿の回転・縮小コピーの例を示す説明図。
【図１１】第２実施形態に係る画像記録装置におけるパンチ位置の変更処理の手順例を示すフローチャート。
【図１２】コピー処理の手順例を示すフローチャート。
【図１３】パンチされた用紙の平面図。
【図１４】図１３の用紙の搬送される様子を示す平面図。
【符号の説明】
【００５３】
１  画像記録装置
１８  用紙
１８ｃ，１８ｄ  画像データ
２０  原稿
２０ｃ  画像データ
【図１】
2005099566.tif 000003
【図２】
2005099566.tif 000004
【図３】
2005099566.tif 000005
【図４】
2005099566.tif 000006
【図５】
2005099566.tif 000007
【図６】
2005099566.tif 000008
【図７】
2005099566.tif 000009
【図８】
2005099566.tif 000010
【図９】
2005099566.tif 000011
【図１０】
2005099566.tif 000012
【図１１】
2005099566.tif 000013
【図１２】
2005099566.tif 000014
【図１３】
2005099566.tif 000015
【図１４】
2005099566.tif 000016